(57)【要約】【課題】踏力が効率的に車椅子本体に伝わり前輪あげを容易にするとともに、介助者の走行を妨げない車椅子用のティッピングレバーを提供する。【解決手段】車椅子１の前部を上げるために用いる車椅子用のティッピングレバー２０であって、車椅子１に取り付けたときに、車椅子の幅方向に横渡しされる踏み台３０と、踏み台３０を車椅子１に支持する支持体４０とを備えており、支持体４０は、踏み台３０と一体に移動する移動支持体２４を含んでおり、踏み台３０を移動支持体２４と一体に移動させることにより、踏み台３０の配置位置を、車椅子１の前後方向において切り換え可能である。【選択図】図２
2019154508.tif 000002
【特許請求の範囲】
【請求項１】
車椅子の前部を上げるために用いる車椅子用のティッピングレバーであって、
前記車椅子に取り付けたときに、前記車椅子の幅方向に横渡しされる踏み台と、
前記踏み台を前記車椅子に支持する支持体とを備えており、
前記支持体は、前記踏み台と一体に移動する移動支持体を含んでおり、
前記踏み台を前記移動支持体と一体に移動させることにより、前記踏み台の配置位置を、前記車椅子の前後方向において切り換え可能であることを特徴とする車椅子用のティッピングレバー。
【請求項２】
前記移動支持体は、回転することにより、前記踏み台の配置位置を、前記車椅子の前後方向において切り換え可能である請求項１に記載の車椅子用のティッピングレバー。
【請求項３】
前記支持体は、前記踏み台を後方から前方に移動させるときに、前記移動支持体の回転中心が、後方から前方に移動するように構成されている請求項２に記載の車椅子用のティッピングレバー。
【請求項４】
前記支持体は、前記踏み台を後方から前方に移動させるときに、前記移動支持体の回転中心が、下方から上方に移動するように構成されている請求項３に記載の車椅子用のティッピングレバー。
【請求項５】
前記踏み台は、複数部材を連結して前記車椅子の幅方向に伸縮可能に構成しており、前記車椅子の折り畳みと同時に折り畳み可能である請求項１から４のいずれかに記載の車椅子用のティッピングレバー。
【請求項６】
前記支持体は、前記車椅子の本体に着脱可能な支持アダプタを含んでいる請求項１から５のいずれかに記載の車椅子用のティッピングレバー。
【発明の詳細な説明】
【技術分野】
【０００１】
本発明は、車椅子の前輪あげを容易にする車椅子用のティッピングレバーに関する。
【背景技術】
【０００２】
車椅子は前部に取り付けられたキャスターの径が小さく、段差のある場所では搭乗者１人では段差を越えられない場合が多い。このため、ティッピングレバーやティッピングプレートなどと呼ばれる足踏み部を車椅子の後部に設けるのが一般的である。ティッピングレバー等を設けた車椅子においては、前部のキャスタが段差に到達すると、介助者が後部のハンドルとティッピングレバー等に体重をかけて前部のキャスターを段差の上に上げることにより、段差を乗り越えることができる。例えば、特許文献１には、長さを容易に調節することができると共に、踏み込み過ぎても転倒する危険性のない転倒防止機構を設けたティッピングプレートが提案されている。
【先行技術文献】
【特許文献】
【０００３】
【特許文献１】特開２００４−２４６８１号公報
【発明の概要】
【発明が解決しようとする課題】
【０００４】
しかしながら、ティッピングレバー等を設けた車椅子は、特許文献１に記載の車椅子のように、ティッピングレバー等（特許文献１ではティッピングプレート）が、車椅子の背面側から見て、端部に設けられているのが通常である。この構成では、ティッピングレバー等に踏力を加えると、踏力による荷重は車椅子の左右のフレームの一方の側に偏るのでフレームが歪み、この歪みによって荷重が吸収されてしまい、多くの踏力を必要とするという問題があった。このため、介助者が非力な女性や高齢者等である場合には前輪あげの負担が大きくなる。
【０００５】
本発明は、前記のような従来の問題を解決するものであり、踏力が効率的に車椅子本体に伝わり前輪あげを容易にするとともに、介助者の走行を妨げない車椅子用のティッピングレバーを提供することを目的とする。
【課題を解決するための手段】
【０００６】
前記目的を達成するために、本発明の車椅子用のティッピングレバーは、車椅子の前部を上げるために用いる車椅子用のティッピングレバーであって、前記車椅子に取り付けたときに、前記車椅子の幅方向に横渡しされる踏み台と、前記踏み台を前記車椅子に支持する支持体とを備えており、前記支持体は、前記踏み台と一体に回転する移動支持体を含んでおり、前記踏み台を前記移動支持体と一体に回転させることにより、前記踏み台の配置位置を、前記車椅子の前後方向において切り換え可能であることを特徴とする。
【０００７】
前記本発明の車椅子用のティッピングレバーによれば、踏み台は車椅子の横方向に横渡しされている。このため、踏み台に足を載せて体重をかけたときの荷重は、踏み台を踏む位置に関係なく、車椅子本体の左右両輪側に作用する。すなわち、荷重が効率的に分散されて、車椅子１本体の歪みが軽減されるので持ち上げに有利になる。また、踏み台の配置位置を、車椅子の前後方向において切り換え可能であるので、踏み台を前方に退避させることができ、踏み台が介助者の走行の妨げになることを防止することができる。
【０００８】
前記本発明の車椅子用のティッピングレバーにおいては、以下の各構成とすることが好ましい。前記移動支持体は、回転することにより、前記踏み台の配置位置を、前記車椅子の前後方向において切り換え可能であることが好ましい。この構成によれば、移動支持体が回転することにより、踏み台が前方に移動しつつ上方に移動するので、踏み台が介助者の走行の妨げになることを防止するのに有利になる。
【０００９】
前記支持体は、前記踏み台を後方から前方に移動させるときに、前記移動支持体の回転中心が、後方から前方に移動するように構成されていることが好ましい。この構成によれば、移動支持体の回転中心が固定された構成に比べ、踏み台の前方への移動量が増えるので、踏み台が介助者の走行の妨げになることを防止するのに有利になる。
【００１０】
前記支持体は、前記踏み台を後方から前方に移動させるときに、前記移動支持体の回転中心が、下方から上方に移動するように構成されていることが好ましい。この構成によれば、回転中心が固定された構成に比べ、踏み台の上方への移動量が増えるので、踏み台が介助者の走行の妨げになることを防止するのに有利になる。
【００１１】
前記踏み台は、複数部材を連結して前記車椅子の幅方向に伸縮可能に構成しており、前記車椅子の折り畳みと同時に折り畳み可能であることが好ましい。この構成によれば、車椅子の折り畳み機能を損なうことなく、車椅子の幅方向に横渡しされる踏み台を実現できる。
【００１２】
前記支持体は、前記車椅子の本体に着脱可能な支持アダプタを含んでいることが好ましい。この構成によれば、支持アダプタの位置を調整できるので、介助者の体格に合わせて、踏み台の位置を調節することができる。また、ティッピングレバーを既存の車椅子に後付けが可能になる。
【発明の効果】
【００１３】
本発明の効果は前記のとおりであり、要約すれば、踏み台は車椅子の横方向に横渡しされているので、踏み台への荷重が効率的に分散されて、車椅子本体の歪みが軽減されるので持ち上げに有利になるとともに、踏み台の配置位置を、車椅子の前後方向において切り換え可能であるので、踏み台を前方に退避させることができ、踏み台が介助者の走行の妨げになることを防止することができる。
【図面の簡単な説明】
【００１４】
【図１】本発明の一実施形態に係る車椅子の側面図。
【図２】図１に示した車椅子を背面側から見た斜視図。
【図３】図２の状態から踏み台を回転させて前方に移動させた状態を示す斜視図。
【図４】本発明の一実施形態に係るティッピングレバーの踏み台が回転する様子を示す斜視図。
【図５】本発明の一実施形態に係るティッピングレバーの端部における分解斜視図。
【図６】本発明の一実施形態に係る車椅子が平坦面上にあるときの側面図。
【図７】図６の状態から車椅子が前進し、キャスタが段差に当接した状態を示す側面図。
【図８】図７の状態から踏み台を踏むことにより、移動支持体が垂直状態になった状態を示す側面図。
【図９】図８の状態から車椅子の前部が持ち上った状態を示す側面図。
【図１０】図９の状態から車椅子のキャスタが段差を乗り越えた状態を示す側面図。
【図１１】図１０の状態からキャスタ及び後輪の両方が新たな平坦面に乗り上げた状態を示す側面図。
【図１２】図２の状態から車椅子を折り畳んだ状態を示す斜視図。
【図１３】図３の状態から車椅子を折り畳んだ状態を示す斜視図。
【図１４】本発明の一実施形態に係るティッピングレバーが折り畳まれる様子を示す斜視図。
【図１５】本発明の一実施形態に係るティッピングレバーが折り畳まれる様子の別の例を示す斜視図。
【発明を実施するための形態】
【００１５】
以下、本発明の一実施形態について図面を参照しながら説明する。図１は本発明の一実施形態に係る車椅子１の側面図であり、図２は図１に示した車椅子１を背面側から見た斜視図である。各図は車椅子１の要部を図示した概略図であり、細部の構造は適宜省略している。図１において、車椅子１は、前側に前輪であるキャスタ２、後側に駆動輪である後輪３が配置され、キャスタ２が２輪、後輪３が２輪の合計４輪で地面等を走行する。車椅子本体は、パイプ状のフレームで要部を構成しており、後フレーム４、横フレーム５、前フレーム６及び下フレーム７で基本骨格を形成している。
【００１６】
後フレーム４の先端部分を折り曲げて、この部分にグリップを取り付けてハンドル８を形成している。横フレーム５には肘掛け９が取り付けられ、前フレーム６にはフットレスト１０が取り付けられている。図１において、後フレーム４に背シート１１が取り付けられており、図２に示したように、背シート１１は、両側の後フレーム４で支持されている。また、図２において、後輪３にはハンドリム１２が固定されており、これを手で操作して後輪３に駆動力を伝えることができる。図示の便宜のため、図１ではハンドリム１２の図示は省略している。
【００１７】
図１において、下フレーム７にはティッピングレバー２０が取り付けられている。図２において、ティッピングレバー２０は、踏み台３０とこれを車椅子１の本体に支持する支持体４０とで構成されている。図１において、支持体４０は、支持ボックス２１、支持プレート２２、支持アダプタ２３及び移動支持体２４を備えている。支持アダプタ２３が下フレーム７に固定されて、ティッピングレバー２０が車椅子１本体に固定されている。
【００１８】
図２において、左右一対のレバー２５と連結体２６とで水平な踏み台３０を形成している。図２に示したように、踏み台３０は、車椅子１の横方向に横渡しされている。レバー２５の一端は連結体２６と連結されており、レバー２５の他端は、移動支持体２４に連結されている。移動支持体２４の端部は支持ボックス２１内で支持されている。
【００１９】
詳細は後に説明するとおり、踏み台３０に足を載せて体重をかけることにより、車椅子１の前部を持ち上げることができる。また、踏み台３０は、移動支持体２４と一体に回転可能であり、不使用時には、前方に移動させることができる。図３は図２の状態から踏み台３０を回転させて前方に移動させた状態を示している。
【００２０】
図４は、ティッピングレバー２０の踏み台３０が回転する様子を示す斜視図である。図４（ａ）から図４（ｃ）にかけて、踏み台３０は移動支持体２４の回転と一体になって、前方へ移動しつつ上昇していく。この一連の動きをさせるには足で踏み台３０を押せばよい。移動支持体２４を回転させる機構については、後に図５を参照しながら説明する。
【００２１】
図４（ａ）は、移動支持体２４が垂直になっている状態を示している。この状態では、踏み台３０の幅広部分が水平面上にあるため、踏み台３０の幅広部分に足を容易に載せることができる。この状態が図２のティッピングレバー２０の状態であり、踏み台３０の幅広部分に足を載せて体重をかけることにより、車椅子１の前部を持ち上げて、段差の乗り上げ操作を行うことができる。
【００２２】
図４（ａ）において、支持アダプタ２３は下フレーム７を挟んでおり、この状態で支持プレート２２側から固定ボルト（図示せず）で支持アダプタ２３を締め付けている。このことにより、支持アダプタ２３を含む支持体４０及びこれと一体の踏み台３０は車椅子１本体に固定される。この構成では、下フレーム７上で支持アダプタ２３の位置を調整できるので、介助者の体格に合わせて、踏み台３０の位置を調節することができる。また、前記のような車椅子本体に着脱可能な支持アダプタ２３を備えたことにより、既存の車椅子に後付けが可能になる。
【００２３】
図４（ｂ）は、移動支持体２４が傾斜した状態を示している。この状態では、移動支持体２４が回転中心３６を中心に回転しており、踏み台３０の幅広部分が前方に移動している。図４（ｃ）は、移動支持体２４が回転し切った状態を示している。この状態は、踏み台３０が前方及び上方に移動し切った状態である。この状態では、踏み台３０が前方に退避しているので、介助者が車椅子を押して走行する際に、足に踏み台３０が当たりにくくなり、踏み台３０が介助者の走行の妨げになることを防止することができる。
【００２４】
図５はティッピングレバー２０の端部における分解斜視図である。本図は支持ボックス２１から支持プレート２２を取り外した状態を図示している。移動支持体２４には、円筒状のカラー３１が取り付けられており、カラー３１内にプランジャ３２が埋め込まれる。プランジャ３２の先端にセンターピン３３が取り付けられており、センターピン３３が支持プレート２２に形成した円弧状のガイド溝３４を摺動しつつ、移動支持体２４が回転中心３７を中心に回転する。
【００２５】
この構成では、図４（ａ）〜図４（ｃ）のように、踏み台３０を後方から前方に移動させるときに、図５において、回転中心３７は円弧状のガイド溝３４に沿って移動するので、距離ｄだけ後方から前方へと移動する。このことにより、回転中心３７が固定された構成に比べ、踏み台３０の前方への移動量が増えるので、踏み台３０が介助者の走行の妨げになることを防止するのに有利になる。
【００２６】
さらに、前記構成では、図４（ａ）〜図４（ｃ）のように、踏み台３０を後方から前方に移動させるときに、図５において、回転中心３７は円弧状のガイド溝３４に沿って移動するので、高さｈだけ下方から上方へと移動する。このことにより、回転中心３７が固定された構成に比べ、踏み台３０の上方への移動量が増えるので、踏み台３０が介助者の走行の妨げになることを防止するのに有利になる。
【００２７】
ガイド溝３４の両端には、受け穴３５が形成されている。プランジャ３２がガイド溝３４の端部に移動すると、センターピン３３が受け穴３５に嵌り込む。このことにより、移動支持体２４は垂直状態（図２参照）と水平状態（図３参照）とで保持される。この保持により、ティッピングレバー２０は、車椅子１の走行時に移動支持体２４がずれたり、振動したりするのを防止することができる。
【００２８】
また、図５において、レバー２５は、主レバー４２と副レバー４１とが、ボルト４３により連結されている。主レバー４２には長穴４４が形成されており、長穴４４の範囲内の任意の位置でボルト４３を締め付けることにより、レバー２５の長さ調整ができるようになっている。長さ調整が不要であれば、レバー２５は単体部品とすればよい。
【００２９】
図５に示した実施形態は、移動支持体２４の回転中心３７が円弧状に移動するものであったが、踏み台３０を後方から前方に移動させるときに、回転中心３７が後方から前方へ移動し、かつ下方から上方へ移動する構造であればよく、回転中心３７の移動経路は円弧以外の曲線でもよく、傾斜した直線でもよい。また、後記のとおり、移動支持体２４の移動の態様は前記のもの以外であってもよい。
【００３０】
以下、図６〜図１１を参照しながら、車椅子１の段差乗り越え時の操作について説明する。図６は車椅子１が平坦面５０上にあるときの側面図を示している。図示の便宜のため、ティッピングレバー２０の近傍は破断して図示している（図７〜図１１も同じ。）。図６の状態では、ティッピングレバー２０は収納時の状態にあり、移動支持体２４は水平になっており、踏み台３０は前方に移動している（図３参照）。この状態で、介助者はハンドル８を持って車椅子１を押して前進させる。
【００３１】
図７は、図６の状態から車椅子１が前進し、キャスタ２が段差５１に当接した状態を示している。この状態では踏み台３０の位置は図６と同じであり、前方に移動した状態を維持している。キャスタ２が段差５１に当接すると、介助者は踏み台３０を足で踏み、踏み台３０を下方に押し下げる。このとき踏み台３０は、図４（ｃ）、図４（ｂ）、図４（ａ）の順に動いていく。
【００３２】
すなわち、図７の状態では、踏み台３０は図４（ｃ）の位置にあり、足で踏み台３０を踏むことにより、移動支持体２４は、図４（ｂ）のように傾斜し、続いて図４（ａ）のように垂直状態になる。この状態を図８に示しており、同図において、移動支持体２４は垂直状態になっている。図４（ａ）に示したように、移動支持体２４が垂直状態であるときは、踏み台３０の幅広部分が水平面上にあるため、踏み台３０の幅広部分に足を容易に載せることができる。
【００３３】
図８の状態において、介助者は手で掴んだハンドル８に体重をかけつつ、踏み台３０の幅広部分が足を載せて踏み台３０にも体重をかけることにより、車椅子１の前部を持ち上げることができる。ハンドル８だけに体重をかけて車椅子１の前部を持ち上げるには膨大な力を必要とするが、踏み台３０にも体重をかけることにより、持ち上げが容易になる。
【００３４】
図２に示したように、踏み台３０は、車椅子１の横方向に横渡しされている。このため、踏み台３０に足を載せて体重をかけたときの荷重は、踏み台３０を踏む位置に関係なく、車椅子１本体の左右両輪側に作用する。すなわち、荷重が効率的に分散されて、車椅子１本体の歪みが軽減されるので持ち上げに有利になる。
【００３５】
また、図８において、踏み台３０は垂直な移動支持体２４の下端側にある。このため、踏み台３０は、フレーム７の中心軸よりもさらに高さｈだけ下方の位置にある。このため、踏み台３０に足を載せるときの足の持ち上げ量が小さくなり、踏み台３０を踏み易くなる。すなわち、支持体４０は、移動支持体２４を後方に移動させたときに、踏み台３０が支持体４０の取り付け位置よりも下方にくるように構成されていることが好ましい。
【００３６】
さらに、図８において、支持体４０の構成部品である移動支持体２４は、支持体４０を車椅子１本体の一部であるフレーム７に取り付けたときに、支持体４の取り付け位置よりも後方にくるように構成されている。この構成によれば、駆動輪である後輪３の車軸と踏み台３０との間の距離ｒが大きくなり、踏力によるモーメントが大きくなり、持ち上げが容易になる。すなわち、支持体４０は、移動支持体２４を後方に移動させたときに、移動支持体２４が支持体４０の取り付け位置よりも後方にくるように構成されていることが好ましい。
【００３７】
前記のとおり、踏み台３０が後方かつ下方にあることにより、車椅子１の持ち上げに有利になるが、踏み台３０が介助者の足に近づくことになる。前記のとおり、本実施形態では、踏み台３０を移動支持体２４と一体に回転させて前方に退避させることができるので、踏み台３０が介助者の走行の妨げになることを防止することができる。
【００３８】
図９は、車椅子１の前部が持ち上った状態を示している。本図の状態では、キャスタ２が段差５１を乗り越えつつある。図１０は、車椅子１のキャスタ２が段差５１を乗り越えた状態を示している。図１１は、キャスタ２及び後輪３の両方が新たな平坦面５２に乗り上げた状態を示している。
【００３９】
次に、車椅子１の折り畳みについて説明する。本実施形態に係る車椅子１は折り畳み可能であり、不使用時には折り畳んだ状態で保管することができる。折り畳みは、図２に示したように、ティッピングレバー２の移動支持体２４が垂直状態のときでも可能であり、図３に示したように、ティッピングレバー２の移動支持体２４が水平状態のときでも可能である。図１２は、図２の状態（移動支持体２４が垂直状態）から折り畳んだ状態を示しており、図１３は図３の状態（移動支持体２４が水平状態）から折り畳んだ状態を示している。
【００４０】
図１４は、ティッピングレバー２０が折り畳まれる様子を示す斜視図である。本図は、図２の状態（移動支持体２４が垂直状態）から折り畳む様子を示している。図４（ａ）から図４（ｃ）にかけて、両端の移動支持体２４間の距離は縮まり、ティッピングレバー２０が折り畳まれていき、同時に車椅子１も折り畳まれていく。図１４（ａ）のティッピングレバー２０の状態は、移動支持体２４が垂直状態であり、図２の状態と同じである。図１４（ａ）は、ティッピングレバー２０の折り畳み開始状態を示しており、この状態では、踏み台３０は伸び切った状態になっている。
【００４１】
車椅子１本体の折り畳みは、図２に示したＸ字状に配置された一対のフレーム１３が支点１４を中心に回転して交差角度を変えることにより行われる。車椅子１を折り畳む際には、座面シートに設けた取っ手（図示せず）を持って座面シート持ち上げれば、一対のフレーム１３が直立状態に近づく方向に傾斜して車椅子１が折り畳まれる。車椅子１を使用状態に戻す際には、持ち上がった座面シートを元の位置に押し下げれば、一対のフレーム１３が水平状態に近づく方向に傾斜して車椅子１が元の使用状態に復帰する。
【００４２】
車椅子１本体が折り畳まれる際には、同時にティッピングレバー２０も折り畳まれる。図１４（ａ）において、一対のレバー２５の一端はヒンジピン２７を介して連結体２６と回転可能に連結されており、他端はヒンジピン２８を介して移動支持体２４と一体のフランジ２９と回転可能に連結されている。このことにより、一対のレバー２５は交差角度を変えながら、踏み台３０が伸縮する。
【００４３】
図１４（ｂ）は、ティッピングレバー２０が折り畳まれる途中の状態を示しており、図１４（ａ）の状態と比べて、踏み台３０が縮んでいる。図１４（ｃ）は、折り畳みが完了した状態を示しており、この状態では車椅子１本体も図１２に示したように、後輪３同士が近接して折り畳まれている。
【００４４】
図１５は、ティッピングレバー２０が折り畳まれる様子の別の例を示す斜視図である。本図は、図３の状態（移動支持体２４が水平状態）から折り畳む様子を示している。図１５（ａ）から図１５（ｃ）にかけて、両端の移動支持体２４間の距離は縮まり、ティッピングレバー２０が折り畳まれていき、同時に車椅子１も折り畳まれていく。図１５（ａ）のティッピングレバー２０の状態は、移動支持体２４が水平状態であり、図３の状態と同じである。図１５（ａ）は、ティッピングレバー２０の折り畳み開始状態を示しており、この状態では、踏み台３０は伸び切った状態になっている。
【００４５】
車椅子１本体の折り畳みについては、図１４の場合と同じであり、ティッピングレバー２０の折り畳みについても、一対のレバー２５の回転の様子が異なることを除けば図１４の場合と同じである。すなわち、一対のレバー２５は交差角度を変えながら、踏み台３０が伸縮する。図１４（ｂ）は、ティッピングレバー２０が折り畳まれる途中の状態を示しており、この状態から一対のレバー２５はこれらが近接する方向にさらに回転し、図１４（ｃ）の状態では折り畳みが完了している。この状態では車椅子１本体も図１３に示したように、後輪３同士が近接して折り畳まれている。
【００４６】
以上、本発明の実施形態について説明したが、前記実施形態は一例であり、これに限るものではなく、適宜変更してもよい。例えば、支持体４０の構造は一例であり、同様の機能を発揮するものであればよい。特に、移動支持体２４及びその取り付け構造は、踏み台３０の配置位置を、車椅子１の前後方向において切り換え可能である構造であればよく、図５に示した実施形態のように、回転中心３７が円弧状に移動する構造に限るものではない。
【００４７】
例えば、移動支持体２４が水平方向に移動する構造でもよく、傾斜方向に移動する構造でもよい。また、回転中心３７の位置が固定された状態で移動支持体２４が回転する構造であってもよい。この構成であっても、移動支持体が回転することにより、踏み台が前方に移動しつつ上方に移動するので、踏み台が介助者の走行の妨げになることを防止するのに有利になる。
【００４８】
支持体４０の構成部品である支持アダプタについては、車椅子本体に着脱可能な構成であればよく、前記実施形態の構造に限るものではない。また、前記実施形態では車椅子１が折り畳み可能なものであったが、折り畳み機能のない車椅子については、例えば踏み台３０を単体部品で形成し、踏み台３０の折り畳み機能を省けばよい。
【符号の説明】
【００４９】
１  車椅子
２  キャスター（前輪）
３  後輪
８  ハンドル
２０  ティッピングレバー
２１  支持ボックス
２２  支持プレート
２３  支持アダプタ
２４  移動支持体
２５  レバー
２６  連結体
３０  踏み台
４０  支持体
【図１】
2019154508.tif 000003
【図２】
2019154508.tif 000004
【図３】
2019154508.tif 000005
【図４】
2019154508.tif 000006
【図５】
2019154508.tif 000007
【図６】
2019154508.tif 000008
【図７】
2019154508.tif 000009
【図８】
2019154508.tif 000010
【図９】
2019154508.tif 000011
【図１０】
2019154508.tif 000012
【図１１】
2019154508.tif 000013
【図１２】
2019154508.tif 000014
【図１３】
2019154508.tif 000015
【図１４】
2019154508.tif 000016
【図１５】
2019154508.tif 000017